(57)【要約】【課題】  発呼相手先への電話発信（発呼）を行う際の操作を簡単にし、更に発呼相手先側において留守番電話に切り換わっても、再発呼を繰り返し行うことで発呼相手先へ呼び出しがあることに気付かせる電話装置を提供する。【解決手段】  本実施例にかかる電話装置１０においては、予め設定した所定時間を計時するタイマ手段と、制御部と、を備えた電話装置において、前記タイマ手段は、発呼後に発呼相手先が応答するまでの時間を計時する第１タイマカウントと、発呼相手先との通話時間を計時する第２タイマカウントとを有し、前記制御部は、第２タイマカウントの計時開始後に所定時間以内に発呼側でオンフックされたことを示す信号を検出すると再発呼を行い、前記第１タイマカウントより計時された呼出時間の総計が所定時間に達するまで発呼を繰り返す。【選択図】図３
2013005039.tif 000002
【特許請求の範囲】
【請求項１】
予め設定した所定時間を計時するタイマ手段と、制御部と、を備えた電話装置において、
前記タイマ手段は、発呼後に発呼相手先が応答するまでの時間を計時する第１タイマカウントと、発呼相手先との通話時間を計時する第２タイマカウントとを有し、
前記制御部は、第２タイマカウントの計時開始後に所定時間以内に発呼側でオンフックされたことを示す信号を検出すると再発呼を行い、前記第１タイマカウントより計時された呼出時間の総計が所定時間に達するまで発呼を繰り返すことを特徴とする電話装置。
【請求項２】
予め設定した所定回数を計時するカウンタ手段と、制御部と、を備えた電話装置において、
前記カウンタ手段は、発呼後に発呼相手先が応答するまでの回数を計時する第１カウンタと、発呼相手先との通話時間を計時する第２タイマカウントとを有し、
前記制御部は、第２タイマカウントの計時開始後に所定時間以内に発呼側でオンフックされたことを示す信号を検出すると再発呼を行い、前記第１カウンタより計時された呼出回数の総計が所定回数に達するまで発呼を繰り返すことを特徴とする電話装置。
【発明の詳細な説明】
【技術分野】
【０００１】
本発明は、電話装置に関する。
【背景技術】
【０００２】
現在、固定電話、携帯電話を利用中に、短い着信回数で自動応答する電話端末がある。例えば、下記特許文献１（特開平７−３０６３７）には、発呼側の電話機から呼び出しがあり電話に出たいが直ぐに出られないような場合に、所定回数の呼出信号が判別されると送受話器を取らずとも自動的にオフフック動作して間もなく電話に出る（応答する）ので待って欲しい旨のメッセージを発呼側へ伝える自動応答式電話装置が開示されている。
【先行技術文献】
【特許文献】
【０００３】
【特許文献１】特開平７−３０６３７号公報
【発明の概要】
【発明が解決しようとする課題】
【０００４】
しかしながら、上記特許文献１に開示された技術では、着信相手側は電話を取る意思があったのにもかかわらず、所定回数の呼出信号が判別されると自動的にオフフック動作へ切り換わってしまい、電話を取れないという問題が生じる可能性がある。このような動作は、いわゆる留守番電話の機能であり、発呼側が着信相手側の電話に対して、用件等を電話機へ録音してメッセージを伝える際には問題とはならない。ところが、緊急を要する電話の場合は、着信相手側が電話を取る意思があったのにもかかわらず、着信（電話）に気付かなかったことを考慮して、発呼側は電話を何度も掛け直して確認する必要がある。
【０００５】
本発明は、上記の問題点を解消することを課題とするものであり、発呼相手先への電話発信（発呼）を行う際の操作を簡単にし、更に発呼相手先側において留守番電話に切り換わっても、発呼側では発呼を繰り返し行うことで発呼相手先へ対し電話の呼び出しがあることに気付かせることを目的とするものである。
【課題を解決するための手段】
【０００６】
前記課題を解決するために、本願の請求項１に係る電話装置の発明は、予め設定した所定時間を計時するタイマ手段と、制御部と、を備えた電話装置において、前記タイマ手段は、発呼後に発呼相手先が応答するまでの時間を計時する第１タイマカウントと、発呼相手先との通話時間を計時する第２タイマカウントとを有し、前記制御部は、第２タイマカウントの計時開始後に所定時間以内に発呼側でオンフックされたことを示す信号を検出すると再発呼を行い、前記第１タイマカウントより計時された呼出時間の総計が所定時間に達するまで発呼を繰り返すことを特徴とする。
【０００７】
本願の請求項２に係る発明は、予め設定した所定回数を計時するカウンタ手段と、制御部と、を備えた電話装置において、前記カウンタ手段は、発呼後に発呼相手先が応答するまでの回数を計時する第１カウンタと、発呼相手先との通話時間を計時する第２タイマカウントとを有し、前記制御部は、第２タイマカウントの計時開始後に所定時間以内に発呼側でオンフックされたことを示す信号を検出すると再発呼を行い、前記第１カウンタより計時された呼出回数の総計が所定回数に達するまで発呼を繰り返すことを特徴とする。
【発明の効果】
【０００８】
本発明の構成によれば、呼出時間（呼出回数）の総計が、予め設定しておいた所定時間（所定回数）に達するまで繰り返し発呼を行うので、一々ダイヤルキーの入力操作をする必要がなく、発呼のための操作を簡単に行うことが出来る。また、通話が開始されてから所定時間以内に発呼側にてオンフックすると通話が成立したとはみなさず、同じ発呼の相手先に対して繰り返し発呼を行うので、相手先が電話を取る意思があったのにも関わらず、相手先が呼び出しに気付かずに電話を取れなかったという事態を回避することが出来る。
【図面の簡単な説明】
【０００９】
【図１】本発明を適用してなる実施例装置の全体図である。
【図２】本発明を適用してなる実施例装置のブロック図である。
【図３】本実施例装置の発呼相手先に対して予め設定した所定時間まで呼び出しを行う動作を示すフロー図である。
【図４】本実施例装置の発呼相手先に対して予め設定した所定回数まで呼び出しを行う動作を示すフロー図である。
【発明を実施するための形態】
【００１０】
以下、本発明の具体例について、電話装置を用いて説明する。但し、以下に示す実施例は、本発明の技術的思想を具体化するための電話装置を例示しているが、本発明をこの電話装置に特定するものではなく、本発明の技術的範囲は、特許請求の範囲の記載によって定められるものである。
【実施例】
【００１１】
図１は、本発明の実施例にかかる電話装置１０の全体構成を示す図である。本実施例の電話装置１０は、電話回線に接続されており、表示部２４、操作部２５、受話器３４等を有してなる。
【００１２】
次に、本発明の実施例にかかる電話装置１０の回路構成を説明する。図２は、本発明の実施例にかかる電話装置１０の構成を示すブロック図である。電話装置１０は、制御部２１、着信検出部２２、回線接続部２３、表示部２４、操作部２５、メモリ部２６、ＡＣアダプタ２７、電源部２８、送信部３０、受信部３１、周波数シンセサイザー３２、送受信アンテナ３３、受話器３４、計数部３５、フック検出部３６などを備えて構成されている。
【００１３】
制御部２１は、マイクロプロセッサを中心に構成され、一般的なコンピュータ装置と同様にＲＯＭ、フラッシュメモリなどのメモリ機能を備えており、このメモリに格納されている各種制御プログラムを読み出す処理を担う。
【００１４】
着信検出部２２は、回路接続部２３からの着信信号を受けて着信を検出すると共に、当該着信信号をパルス信号に波形整形して制御部２１に出力する。
【００１５】
回線接続部２３は、電話回線（以下、回線）と接続されて回線の開放・閉結を行う。回線接続部２３は、回線の極性反転を検出する機能と、回線からの音声信号を検出する機能と、回線からのＲＢＴ（Ｒｉｎｇ  Ｂａｃｋ  Ｔｏｎｅ）を検出する機能を有している。又、回線接続部２３は、有線ＬＡＮ等と接続するための通信インタフェースとしての機能も有しており、電話装置１０は有線ＬＡＮに接続された呼制御サーバ（不図示）と通信を行うことにより、ＩＰ電話網とも接続され着信や発信処理等を実施することも可能である。
【００１６】
表示部２４は、液晶パネル等から構成される表示ユニットであり、制御部２１からの制御信号に応じて、電話帳データである電話番号、通話時間や、通話料金等の表示を行う。
【００１７】
操作部２５は、数字や文字の入力などを行うためのダイヤルキー（０〜９までの数字と＃や＊が割り振られたキーパッド）、発呼および通話の開始などを操作するための通話キー、通話の終了などを操作するための終話キー、予め登録しておいた電話番号（発呼相手先）に対して所定時間（所定回数）まで自動で発呼を行う自動発信キー等から構成される。
【００１８】
メモリ部２６は、例えばフラッシュメモリによって構成され、氏名と電話番号とを対で複数格納可能な電話帳機能等を有している。また、メモリ部２６は、発呼を行う際に、所定時間（所定回数）発呼を繰返す呼出時間Ｔ（呼出回数Ｎ）と電話番号を記憶する記憶手段を有する。
【００１９】
電源部２８は、ＡＣアダプタ２７から所定の直流電圧を受けて、各回路構成要素に電源を供給する。
【００２０】
送信部３０と受信部３１は、送受信アンテナ３３を介して子機（不図示）との間に無線通信による通話リンクを確立させて、信号の送受信を行う。
【００２１】
周波数シンセサイザー３２は、当該子機との無線通信のための信号発振を担い、制御部２１からの制御信号によって、送信部３０と受信部３１の送受信周波数を適宜切り換える。
【００２２】
受話器３４は、通話用のスピーカ（ＳＰ）とマイク（ＭＩＣ）とで構成される。スピーカ（ＳＰ）は、図示しない制御部２１内の音声信号処理部で生成された電気信号を増幅して音声として出力する。マイク（ＭＩＣ）は、音声を電気信号に増幅変換して制御部２１内の音声信号処理部に出力する。
【００２３】
計数部３５は、予め設定された所定の時間を計時するタイマ手段（タイマ）を備える。タイマは、発呼を行ってから発呼相手先が応答するまでの時間：第１タイマカウントｔ１、発呼相手先との通話時間：第２タイマカウントｔ２、発呼相手先との通話終了後から同じ発呼相手先への再発呼までの時間：第３タイマカウントｔ３、を計時する機能を有する。また、計数部３５は、予め設定された所定の回数を計数するカウンタ手段（カウンタ）も備えており、カウンタは、発呼を行ってから発呼相手先が応答するまでの回数：第１カウンタを計数する機能を有する。
【００２４】
フック検出部３６は、受話器３４のオンフック状態を検出する。
【００２５】
本実施例装置では、電話装置１０の電源を投入後から操作前の待ち受け中（待機状態）にて、ユーザが操作部２５からダイヤルキーの押下による任意の電話番号入力、もしくは自動発信キーの押下を行うことで、発呼相手先に対して繰り返し発呼を行って、同じ発呼相手先の呼び出しを継続する。また、ユーザは、操作部２５を操作することにより、繰り返し電話を発呼する相手先の電話番号と予め設定した所定時間（所定回数）まで呼び出しを行う呼出時間Ｔ（呼出回数Ｎ）を設定しておく。尚、発呼を行ってから発呼相手先が応答するまでの呼出回数１回につき約３秒程度の呼出時間を要する。このような設定が終了したことを前提として、以下に本実施例装置の動作について説明する。
【００２６】
図３は、発呼相手先に対して予め設定した所定時間まで呼び出しを行う電話装置１０の動作を示すフローチャートである。
【００２７】
先ず、電話装置１０の待機状態にて、制御部２１はオフフック検出後、ステップＳ１において、ダイヤルキーの押下による任意の電話番号の入力もしくは自動発信キーの押下を検出することで電話装置１０より発呼動作がなされたか否かを判定する。制御部２１は、発呼が完了したと判定すればステップＳ２へ処理を進め、発呼していないと判定すれば本処理を終了する。
【００２８】
次に、制御部２１は、ステップＳ２において、計数部３５を制御することで、発呼を行ってから発呼相手先が応答するまでの時間となる第１タイマカウントｔ１の計時を開始し、ステップＳ３へ処理を進める。
【００２９】
制御部２１は、ステップＳ３において、回線の極性が反転されて発呼相手先の電話機と通話回線が接続されているか否かを判定する。発呼相手先と通話回線が接続されていると判定するとステップＳ５へ処理を進め、通話回線が接続されていないと判定すると、ステップＳ４へ処理を進める。
【００３０】
制御部２１は、ステップＳ４において、フック検出部３６から受話器３４がオンフックされたことを示す信号を検出したか否か判定する。受話器３４によるオンフックを検出して発呼が中止されたと判定すると待機状態へ移行し、オンフックを検出しなければ発呼が中止されていないと判定してステップＳ３へ処理を戻す。
【００３１】
制御部２１は、ステップＳ５において、計数部３５を制御することで、発呼相手先との通話時間となる第２タイマカウントｔ２の計時を開始し、ステップＳ６へ処理を進める。
【００３２】
制御部２１は、ステップＳ６において、発呼を開始してから発呼相手先への呼び出しに要した時間（呼出時間Ｔ）を算出して、メモリ部２６へ呼出時間Ｔを格納する。尚、呼出時間Ｔは、第１タイマカウントｔ１の計時を開始してから発呼相手先へ回線接続されるまでの呼び出しに要した時間の総計を算出することで得られる。
【００３３】
制御部２１は、ステップＳ７において、計数部３５を制御して、第１タイマカウントｔ１をクリアし、ステップＳ８へ処理を進める。
【００３４】
制御部２１は、ステップＳ８において、予め設定した所定時間に呼出時間Ｔが達したか否かを判断する。呼出時間Ｔが予め設定した所定時間に達していない場合は、ステップＳ１０へ処理を進め、呼出時間Ｔが予め設定した所定時間に達した場合は、ステップＳ９へ処理を進める。
【００３５】
制御部２１は、ステップＳ９において、発呼相手先と通話回線が切断されているか否かを判定する。制御部２１は、通話回線が切断されていないと判定すれば通話状態を継続し、通話回線が切断されたと判定すれば、ステップＳ１７へ移行する。
【００３６】
制御部２１は、ステップＳ１０において、フック検出部３６からオンフックされたことを示す信号を検出することで発呼相手先との通話回線が切断されているか否かを判定する。通話回線が切断されていないと判定すれば本ステップでの処理を繰り返し、通話回線が切断されたと判定すれば、ステップＳ１１へ処理を進める。尚、本ステップにおける通話回線が切断される場合というのは、通話中に発呼相手先側で留守番電話の応答メッセージ等が再生されていることをユーザが聴いた上でオンフックを行った際の動作である。一方、通話回線が切断されていない場合というのは、発呼相手先側で所望の相手先が呼び出しに応答して（電話に出てきて）ユーザと通話（会話）を継続している状態である。
【００３７】
制御部２１は、ステップＳ１１において、通話時間を算出する第２タイマカウントｔ２の計時を開始してから所定時間（例えば、２秒）以内に、発呼側でオンフックされたことを示す信号を検出したか否かを判定する。尚、ここでの２秒という時間は、発呼相手先との会話が成立したか否かを判定する時間である。この時、制御部２１は、通話時間が所定時間以内に発呼側でオンフックされたことを示す信号を検出するとステップＳ１２へ処理を進め、通話時間が所定時間以内に発呼側でオンフックされたことを示す信号を検出しなければ、ステップＳ１７へ移行する。
【００３８】
制御部２１は、ステップＳ１２において、計数部３５を制御することで、第２タイマカウントｔ２をクリアすると、ステップＳ１３へ処理を進める。
【００３９】
制御部２１は、ステップＳ１３において、通話回線を切断してから同じ発呼相手先へ再発呼するまでの時間となる第３タイマカウントｔ３の計時を開始する。
【００４０】
制御部２１は、ステップＳ１４において、通話回線が切断されてから、所定時間（例えば、１０秒）以上経過したか否かを判定し、所定時間経過していれば、ステップＳ１５へ処理を進める。
【００４１】
制御部２１は、ステップＳ１５において、計数部３５を制御することで、第３タイマカウントｔ３をクリアし、ステップＳ１６へ処理を進める。
【００４２】
制御部２１は、ステップＳ１６において、回線接続部２３を制御することで同じ発呼相手先へ再発呼を行い、ステップＳ２へ処理を戻す。
【００４３】
制御部２１は、ステップＳ１７において、メモリ部２６を制御して、呼出時間Ｔをクリアし、待機状態へ移行する。
【００４４】
以上は、発呼相手先に対して予め設定した所定時間まで呼び出しを行う際の動作を示したが、次に、発呼相手先に対して予め設定した所定回数まで呼び出しを行う電話装置１０の動作を図４のフローチャートに沿って説明する。
【００４５】
まず、電話装置１０の待機状態にて、制御部２１はオフフック検出後、ステップＳ２１において、ダイヤルキーの押下による任意の電話番号の入力もしくは自動発信キーの押下を検出することで電話装置１０より発呼動作がなされたか否かを判定する。制御部２１は、発呼が完了したと判定すればステップＳ２２へ処理を進め、発呼していないと判定すれば本処理を終了する。
【００４６】
次に、制御部２１は、ステップＳ２２において、計数部３５を制御することで、発呼を行ってから発呼相手先が応答するまでの回数となる第１カウンタｎの計数を開始し、ステップＳ２３へ処理を進める。
【００４７】
制御部２１は、ステップＳ２３において、回線の極性が反転されて発呼相手先の電話機と通話回線が接続されているか否かを判定する。発呼相手先と通話回線が接続されていると判定するとステップＳ２５へ処理を進め、通話回線が接続されていないと判定すると、ステップＳ２４へ処理を進める。
【００４８】
制御部２１は、ステップＳ２４において、フック検出部３６から受話器３４がオンフックされたことを示す信号を検出したか否か判定する。受話器３４によるオンフックを検出して発呼が中止されたと判定すると待機状態へ移行し、オンフックを検出しなければ発呼が中止されていないと判定してステップＳ２３へ処理を戻す。
【００４９】
制御部２１は、ステップＳ２５において、計数部３５を制御することで、発呼相手先との通話時間となる第２タイマカウントｔ２の計時を開始し、ステップＳ２６へ処理を進める。
【００５０】
制御部２１は、ステップＳ２６において、発呼を開始してから発呼相手先への呼び出しに要した回数（呼出回数Ｎ）を算出して、メモリ部２６へ呼出回数Ｎを格納する。尚、呼出回数Ｎは、第１カウンタｎの計数を開始してから発呼相手先へ回線接続されるまでの呼び出しに要した回数の総計を算出することで得られる。
【００５１】
制御部２１は、ステップＳ２７において、計数部３５を制御して、第１カウンタｎをクリアし、ステップＳ２８へ処理を進める。
【００５２】
制御部２１は、ステップＳ２８において、予め設定した所定回数に呼出回数Ｎが達したか否かを判断する。呼出回数Ｎが予め設定した所定回数に達していない場合は、ステップＳ３０へ処理を進め、呼出回数Ｎが予め設定した所定回数に達した場合は、ステップＳ２９へ処理を進める。
【００５３】
制御部２１は、ステップＳ２９において、発呼相手先と通話回線が切断されているか否かを判定する。制御部２１は、通話回線が切断されていないと判定すれば通話状態を継続し、通話回線が切断されたと判定すれば、ステップＳ３７へ移行する。
【００５４】
制御部２１は、ステップＳ３０において、フック検出部３６からオンフックされたことを示す信号を検出することで発呼相手先との通話回線が切断されているか否かを判定する。通話回線が切断されていないと判定すれば本ステップでの処理を繰り返し、通話回線が切断されたと判定すれば、ステップＳ３１へ処理を進める。尚、本ステップにおける通話回線が切断される場合というのは、通話中に発呼相手先側で留守番電話の応答メッセージ等が再生されていることをユーザが聴いた上でオンフックを行った際の動作である。一方、通話回線が切断されていない場合というのは、発呼相手先側で所望の相手先が呼び出しに応答して（電話に出てきて）ユーザと通話（会話）を継続している状態である。
【００５５】
制御部２１は、ステップＳ３１において、通話時間を算出する第２タイマカウントｔ２の計時を開始してから所定時間（例えば、２秒）以内に、発呼側でオンフックされたことを示す信号を検出したか否かを判定する。尚、ここでの２秒という時間は、発呼相手先との会話が成立したか否かを判定する時間である。この時、制御部２１は、通話時間が所定時間以内に発呼側でオンフックされたことを示す信号を検出するとステップＳ３２へ処理を進め、通話時間が所定時間以内に発呼側でオンフックされたことを示す信号を検出しなければ、ステップＳ３７へ移行する。
【００５６】
制御部２１は、ステップＳ３２において、計数部３５を制御することで、第２タイマカウントｔ２をクリアすると、ステップＳ３３へ処理を進める。
【００５７】
制御部２１は、ステップＳ３３において、通話回線を切断してから同じ発呼相手先へ再発呼するまでの時間となる第３タイマカウントｔ３の計時を開始する。
【００５８】
制御部２１は、ステップＳ３４において、通話回線が切断されてから、所定時間（例えば、１０秒）以上経過したか否かを判定し、所定時間経過していれば、ステップＳ３５へ処理を進める。
【００５９】
制御部２１は、ステップＳ３５において、計数部３５を制御することで、第３タイマカウントｔ３をクリアし、ステップＳ３６へ処理を進める。
【００６０】
制御部２１は、ステップＳ３６において、回線接続部２３を制御することで同じ発呼相手先へ再発呼を行い、ステップＳ２２へ処理を戻す。
【００６１】
制御部２１は、ステップＳ３７において、メモリ部２６を制御して、呼出回数Ｎをクリアした後に待機状態へ移行する。
【００６２】
このように、電話装置１０は、メモリ部２６へ記憶した同じ発呼相手先（電話番号）に対して、呼出時間Ｔ（呼出回数Ｎ）が予め設定しておいた所定時間（所定回数）に達するまで同様の動作を繰り返す。発呼動作が全て完了すると、発呼相手先が呼び出しに応答しなかった場合は、「ｘｘ秒間（ｙｙ回）（呼び出しを行った時間、または回数）○○さん（発呼相手先）の呼び出しを行いましたが、呼び出しに応答しませんでした。」という旨の呼出結果の表示を電話装置の表示部２４へ行う。
【００６３】
以上の動作について、発呼相手先（相手先）側が呼び出しに気付いて応答した場合と、呼び出しに気付かなかった場合の具体例を説明する。尚、ユーザは予め発呼する相手先に対して１０回の呼び出し（呼出回数Ｎを１０回）を行うものとして、呼出時間Ｔを３０秒に設定しているものとする。
【００６４】
まず、相手先側が呼び出しに気付いて応答した場合を説明する。ユーザは、受話器３４を持ち上げて発呼動作を行い（ステップＳ１のＹＥＳ）、制御部２１は、呼出時間の計時を開始する（ステップＳ２）。ここで相手先には５回の呼び出しを行うものとする。相手先は呼び出しに気付かず、相手先側の電話機で留守番電話が起動するような設定がなされていた場合は留守番電話が起動されることで、制御部２１は回線の極性反転を検出して、通話回線の接続を行う（ステップＳ３のＹＥＳ）。又、通話回線の接続が行われる際に、相手先側の電話機で留守番電話が起動するよう設定されていない場合は、呼び出しを継続して行うが、呼び出しに応答して相手先が電話に出てこないとユーザが判断しオンフックを行うことで発呼を中止する（ステップＳ４のＹＥＳ）。更に、通話回線の接続が行われる際に、相手先が呼び出しに応答して電話に出てきたら通話に移行する。制御部２１は、呼出時間Ｔ（ここでは１５秒）の算出を行い（ステップＳ６）、この呼出時間Ｔの総計が予め設定しておいた所定時間（３０秒）に達しているか否かを判定する（ステップＳ８）。ここでは、呼出時間Ｔが所定時間に達していないため（ステップＳ８のＹＥＳ）、ユーザは、再度相手先を呼び出したいと判断してオンフックを行う（ステップＳ１０）。続いて制御部２１は、通話時間が所定時間（２秒）以内にオンフックされたことを示す信号を検出すると（ステップＳ１１のＹＥＳ）、制御部２１は再発呼までの時間を計時して（ステップＳ１３）、再発呼までの所定時間（１０秒）が経過すると（ステップＳ１４のＹＥＳ）、同じ相手先へ自動的に再発呼を行う（ステップＳ１６）。続いて、同じ相手先への２回目の呼び出し中に（ステップＳ２）、相手先が呼び出しに気付いて電話に出る（応答する）ことで通話を図ることが可能となる。
【００６５】
次に相手先が呼び出しに応じなかった（気付かなかった）場合について説明する。初回の発呼動作は前述の動作と同じなので、この動作は省略して、２回目の再発呼からの動作について説明する。２回目の再発呼からの呼び出しにおいて、再び同じ相手先に５回呼び出しを行うものの、相手先が呼び出しに気付かなければ、相手先の電話機は再び留守番電話を起動するため、制御部２１は回線の極性反転を検出して回線接続を行う（ステップＳ３のＹＥＳ）。続いて、２回目の再発呼による呼出時間の算出を行い（ステップＳ６）、２回目の呼び出しで呼出回数が５回（呼出時間１５秒を算出）行われるので、１回目の呼出時間１５秒と２回目の呼出時間１５秒との総計３０秒が算出される（ステップＳ６）。ここで、制御部２１は、呼出時間Ｔの総計が予め設定しておいた所定時間３０秒に達したと判定し（ステップＳ８のＮＯ）、留守番電話の応答動作へ移行して留守番電話の応答動作が終了すると（ステップＳ９のＹＥＳ）、呼出時間Tをクリアした後に待機状態へ移行する。
【００６６】
以上、説明したように、本発明の電話装置では、発呼相手先への発呼を行う際の操作を簡単にし、更に発呼相手先において仮に留守番電話に切り換わっても、予め設定した所定時間（所定回数）に達するまで発呼を繰り返し行うため、発呼相手先に対して電話の呼び出しがあることを気付かせることが出来る。
【００６７】
尚、上記実施例では、再発呼時の動作において受話器３４をもたなくても、以後の発呼は自動的にハンズフリーによる発呼へ切り換える構成をとることも可能である。
【００６８】
また、上記実施例では、制御部は通話回線が接続されてから所定時間以内にオンフックされたことを示す信号を検出することで、次の再発呼動作を行うことについて説明したが、本発明はこれに限られるものではなく、例えば、通話回線が接続されてから、発呼相手先側で留守番電話が起動してから録音開始を告げる発信音（ビープ音等の単一トーン）を検出することで、所望の相手先との会話が成立していないものとみなし、制御部２１は自動的に回線接続を切断した後に、所定時間が経過してから再発呼を行うようにしてもよい。
【符号の説明】
【００６９】
１０・・・・電話装置
２１・・・・制御部
３５・・・・計数部
【図１】
2013005039.tif 000003
【図２】
2013005039.tif 000004
【図３】
2013005039.tif 000005
【図４】
2013005039.tif 000006